(57)【特許請求の範囲】
【請求項１】
スイッチギヤの前方側に上下に隣接して配置した上部及び下部遮断器室と、前記各遮断器室の後方に配置したケーブル室と、前記上部遮断器室と前記ケーブル室間及び前記下部遮断器室と前記ケーブル室間をそれぞれ連通しかつ上下方向に分離して配置された母線側ブッシング(6)及びケーブル側ブッシング(7)と、前記ケーブル室中において断面を略コの字状に形成し上端面が前記上部遮断器室母線側ブッシング(6)とケーブル側ブッシング(7)の略中間部、下端面が前記上部遮断器室母線側ブッシング(6)とケーブル側ブッシング(7)の略中間部として上端面及び下端面を前記上部及び下部遮断器室からスイッチギヤの後方に向かって水平に延在させるとともに、母線室の後方上部の角部を取って面取り状の斜面を形成した母線室と、前記母線室中に上段遮断器室の母線側ブッシング(6)と下段遮断器室の母線側ブッシング(6)を接続する第１の接続導体と、前記第１の接続導体の後方で断面の長手方向を上下方向とし三相各相導体を上下にかつ平行してスイッチギヤの幅方向に延在して配置された三相の母線と、前記各母線と前記各第１の接続導体間をそれぞれ１対１に接続する第２の接続導体と、前記母線室の上端面及び下端面に直接載置したＣＴと、前記上段遮断器のケーブル側ブッシング(7)から前記ＣＴを経由して真っ直ぐ後方に向って前記母線室の後端近傍まで導出された上側ケーブル接続導体と、前記下段遮断器のケーブル側ブッシング(7)から前記ＣＴを経由して真っ直ぐ後方に向って前記母線室の後端近傍まで導出された下側ケーブル接続導体と、下方より立上がり前記上側ケーブル接続導体及び下側ケーブル接続導体にそれぞれ接続されるケーブルとを備え、前記母線室の後方上部の面取り状の斜面の上方で前記上側ケーブル接続導体と前記ケーブルとの接続部を配置したことを特徴とするスイッチギヤ。
【請求項２】
上側ケーブル接続導体とケ−ブルとの接続部は、上側ケーブル接続導体の端部を斜め下方に折り曲げて形成したことを特徴とする請求項１記載のスイッチギヤ。
【発明の詳細な説明】
【０００１】
【発明の属する技術分野】
この発明は、電力の受電設備に使用されるスイッチギヤに関するものである。
【０００２】
【従来の技術】
図４は、例えば実開平１−１０９２０９号公報に示された従来のスイッチギヤを示す側断面図である。図において、１はスイッチギヤの箱体、１aは箱体１の前部に装着された扉、２は前記箱体２の前面部に２段に配置された遮断器室、３は前記遮断器室２の後部で前記２段の遮断器室２を跨ぐように配置した母線室、４は前記母線室３の上下部に配置したケ−ブル室、６は内部に遮断器５と接離する断路部を内臓した母線側ブッシング、７は内部に遮断器５と接離する断路部とＣＴを内臓したケ−ブル側ブッシング、８は母線、９ａはブッシング７に接続された上部ケ−ブル、９ｂはブッシング７に接続された下部ケ−ブル、１０は下部ケ−ブル室前面の点検口を塞ぐ点検カバ−である。また図５は、図４において上部遮断器室２とケーブル室４の部分から下方を見た平面断面図である。図において、１３は遮断器室２の側部に配置された制御機器室、４はケーブル室で、図４で示すケーブル室４と連通しており、制御機器室１３の後方において絶縁支持物１５にて支持された高圧端子１４を配置している。高圧端子１４部では、図４に示すケーブル９ａまたは９ｂとスイッチギヤの下部から立上った負荷側ケーブル（図示せず）とを接続している。
【０００３】
【発明が解決しようとする課題】
上記のような従来のスイッチギヤでは、ケ−ブル室４は遮断器室２の後部から側部にかけて配置するようにし、遮断器室２の側部で負荷側ケーブルと接続するようにしたため、スイッチギヤの据付けスペ−スが大きなものとなるという問題点があった。
また、母線室３内は遮断器室２の奥に設けた小さな点検カバ−１１を外して行うようにしているので、点検口が狭く母線室内の点検は非常にやりづらいという問題点があった。
【０００４】
この発明は、上述のような課題を解決するためになされたもので、第１の目的は、全体をコンパクトに構成出来るスイッチギヤを得るものである。
また、第２の目的は、スイッチギヤの前面又は上部からの点検を容易に実施出来るスイッチギヤを得るものである。
【０００５】
【課題を解決するための手段】
この発明に係わるスイッチギヤにおいては、スイッチギヤの前方側に上下に隣接して配置した上部及び下部遮断器室と、前記各遮断器室の後方に配置したケーブル室と、前記上部遮断器室と前記ケーブル室間及び前記下部遮断器室と前記ケーブル室間をそれぞれ連通しかつ上下方向に分離して配置された母線側ブッシング(6)及びケーブル側ブッシング(7)と、前記ケーブル室中において断面を略コの字状に形成し上端面が前記上部遮断器室母線側ブッシング(6)とケーブル側ブッシング(7)の略中間部、下端面が前記上部遮断器室母線側ブッシング(6)とケーブル側ブッシング(7)の略中間部として上端面及び下端面を前記上部及び下部遮断器室からスイッチギヤの後方に向かって水平に延在させるとともに、母線室の後方上部の角部を取って面取り状の斜面を形成した母線室と、前記母線室中に上段遮断器室の母線側ブッシング(6)と下段遮断器室の母線側ブッシング(6)を接続する第１の接続導体と、前記第１の接続導体の後方で断面の長手方向を上下方向とし三相各相導体を上下にかつ平行してスイッチギヤの幅方向に延在して配置された三相の母線と、前記各母線と前記各第１の接続導体間をそれぞれ１対１に接続する第２の接続導体と、前記母線室の上端面及び下端面に直接載置したＣＴと、前記上段遮断器のケーブル側ブッシング(7)から前記ＣＴを経由して真っ直ぐ後方に向って前記母線室の後端近傍まで導出された上側ケーブル接続導体と、前記下段遮断器のケーブル側ブッシング(7)から前記ＣＴを経由して真っ直ぐ後方に向って前記母線室の後端近傍まで導出された下側ケーブル接続導体と、下方より立上がり前記上側ケーブル接続導体及び下側ケーブル接続導体にそれぞれ接続されるケーブルとを備え、前記母線室の後方上部の面取り状の斜面の上方で前記上側ケーブル接続導体と前記ケーブルとの接続部を配置したものである。
【０００６】
上側ケーブル接続導体とケ−ブルとの接続部は、上側ケーブル接続導体の端部を斜め下方に折り曲げて形成したものである。
【００１０】
【発明の実施の形態】
実施の形態１．
図１はこの発明の実施の形態１であるスイッチギヤを示すもので、１はスイッチギヤの箱体、１ａは扉、２は上下２段に配置された遮断器室、３は上下に配置された前記遮断器室２をまたぐ形で配置した母線室、４は前記母線室３を包み込む形で前記遮断器室２の後方に配置したケーブル室、５は前記遮断器室２内に配置した引出し式の遮断器、６は遮断器室２内に配置され前記遮断器５と接離する母線側ブッシング、７は遮断器室２内に配置され前記遮断器５と接離するケーブル側ブッシング、１５は前記上下段の母線側ブッシング６どうしを接続するコ字状に折り曲げられた接続導体（第１の接続導体）、８は断面が平角状の３相の母線で、断面の長手方向を上下方向にして図１の紙面の厚み方向に延在して配置している。
【００１１】
１６は前記母線８と前記接続導体１５との間を各相それぞれ１対１に接続するコ字状に折り曲げられた接続導体（第２の接続導体）である。母線室３の後端上下隅部は、角をとり斜め４５°に傾斜した平面すなわち面取り部を３ａ、３ｂを形成している。１７は３相一体に形成されたＣＴで、前記母線室３の上面及び下面に装着されている。このＣＴは、各相に対応したＣＴと３相一括して検出する零相ＣＴを一括して内蔵一体化している。１８は上側接続導体であり、上部遮断器室２の前記ケーブル側ブッシング７から前記ＣＴ１７を貫通しスイッチギヤの後方に向って水平に真っ直ぐ引出されており、前記面取り部３ａの上部近傍において斜め下方に折り曲げて接続部１８ａを形成している。１９は下側接続導体であり、下部遮断器室２の前記ケーブル側ブッシング７から前記ＣＴ１７を貫通しスイッチギヤの後方に向って水平に真っ直ぐ引出されており、前記面取り部３bの下部近傍において斜め下方に折り曲げて接続部１９ａを形成している。
【００１２】
２０は負荷側に接続されスイッチギヤの下部から端部を立上げたケーブルで、端子２０ａを介して接続部１８ａと接続する。２１は負荷側に接続されスイッチギヤの下部から端部を立上げたケーブルで、端子２１ａを介して接続部１８ｂと接続する。２２は箱体１の上部に設けた点検カバーで、これを取り外すことでケーブル室４内を上方から点検できる。２３は下部遮断器室２下方のケーブル室４前面に設けた点検カバーで、これを外すことでケーブル室４内に入ることが出来る。２４は母線室３の後面に設けた点検カバーで、これを外すことで母線室３内を点検することが出来る。
【００１３】
図２は図１のＡ−Ａ方向に見た部分断面後面図であり、８は上下に３本配置しスイッチギヤの横方向に延在する３相母線で、図示はしていないがスイッチギヤの箱体１の幅よりも若干短く構成し、隣接するスイッチギヤとは接続片（図示せず）にて接続する。１５は上部遮断器室２及び下部遮断器室２の母線側ブッシング６相互間を接続する接続導体（第１の接続導体）、１６は各相の母線４と接続導体導体１５とを各相１個所で１対１に接続する接続導体（第２の接続動態）である。１７は３相一体に形成されたＣＴで、母線室３の上面及び下面に密着して装着している。１８は上部接続導体でＣＴ１７を貫通して配置している。１９は下部接続導体でＣＴ１７を貫通して配置している。
【００１４】
図３は図１のＢ−Ｂ方向に見た部分断面平面図であり、１７は母線室３の上部に装着したＣＴ、１８はＣＴ１７を貫通し３相分が平行して配置された上部接続導体、１８ａは上部接続導体１７の先端を斜め下方向に折り曲げて形成した接続部、２０は下方から立ち上がったケ−ブル、２０ａはケ−ブル２０の先端に装着された端子で前記接続部１８ａと接続する。２４は母線室後面の点検口（図示せず）に装着された点検カバ−である。
【００１５】
上記の説明において、３相の母線８は断面の長手方向を上限方向に向けて配置したものを示したが、このように配置することで、従来例の母線配置に比べて母線室３の奥行き寸法を小さくすることができる。
また、母線室３後面の上隅部に面取り部３ａを形成することで、接続導体１８とケ−ブル２０との接続位置をケ−ブルを真っ直ぐ立ち上げた位置よりも前面側変位にすることが出来るので、スイッチギヤの奥行き寸法を小さくすることが出来る。もしもケ−ブル２０を真っ直ぐ立ち上げた位置で接続するならば、端子２０ａの寸法がケ−ブル部よりも大きいためこの周囲に必要な絶縁距離を確保するために箱体の後面の壁をさらに後側へ変位させる必要があり、その結果箱体１の奥行き寸法が大きくなる。
【００１６】
また、ＣＴ１７を貫通形としその導体貫通位置をケ−ブル側ブッシング７の導体導出部の高さと同レベルにしたため、上部接続導体１８及び下部接続導体１９を真っ直ぐ水平に引き出すことが出来、導体の曲げ加工がなくなる等導体部品の製作が容易となる。また、ＣＴ１７の導体貫通部を上部接続導体１８の引出し高さに合わせることでＣＴ１７の頂部の高さを最小に押さえることが出来、ケ−ブル室４の高さを低くすることが出来る。さらにＣＴ１７を母線室３の上下面に直接装着することでＣＴ１７の支え部品が不要となり、全体の取付け高さを低く押さえることが出来るとともに、支えが不要となるなど部品点数を削減することが出来る。
【００１７】
また、上部接続導体１８、下部接続導体１９の端部を斜め下方に折り曲げて接続部１８ａ、１９ａとしたので、ケ−ブル２０、２１に無理な曲げを行うことなく、かつ箱体１の後面から接続部１８ａ、１９ａまでに適当な絶縁距離を確保できるため、箱体１の奥行長さを短くできる。
【００１８】
また、ケ−ブル２１の立ち上げ高さ（床面から端子２１ａ上端までの高さ）はケ−ブル径によって左右されるが、１２００Ａ以下のものであれば通常約８０ｃｍ程度あれば設置可能である。この場合、図１に示すように下側接続導体１９の導出高さがこの程度になるように下遮断器室２を所定の高さに配置することで、下側接続導体１９とケ−ブル２１で形成する主回路経路は略Ｌ字状となり主回路の取り回しを非常に簡略化できる。また、このような構成により、遮断器室２の下部に点検用のアクセス空間を確保できるので、ケ−ブル室４の前面保守が可能となる。
【００１９】
さらに、母線室３の後部にケ−ブル２０の通過スペ−スを設け、この通過スペ−ス内に点検カバ−２４を設けたので、遮断器室２の後方に位置する母線室３の点検を行う意場合、点検カバ−２３を外しケ−ブル室４を通って前記ケ−ブル２０の通過スペ−ス側から行うことができ、スイッチギヤの前面保守が可能となる。
【００２０】
【発明の効果】
この発明は、以上説明したように構成されているので、以下に示すような効果を奏する。
【００２１】
スイッチギヤの前方側に上下に隣接して配置した上部及び下部遮断器室と、前記各遮断器室の後方に配置したケーブル室と、前記上部遮断器室と前記ケーブル室間及び前記下部遮断器室と前記ケーブル室間をそれぞれ連通しかつ上下方向に分離して配置された母線側ブッシング(6)及びケーブル側ブッシング(7)と、前記ケーブル室中において断面を略コの字状に形成し上端面が前記上部遮断器室母線側ブッシング(6)とケーブル側ブッシング(7)の略中間部、下端面が前記上部遮断器室母線側ブッシング(6)とケーブル側ブッシング(7)の略中間部として上端面及び下端面を前記上部及び下部遮断器室からスイッチギヤの後方に向かって水平に延在させるとともに、母線室の後方上部の角部を取って面取り状の斜面を形成した母線室と、前記母線室中に上段遮断器室の母線側ブッシング(6)と下段遮断器室の母線側ブッシング(6)を接続する第１の接続導体と、前記第１の接続導体の後方で断面の長手方向を上下方向とし三相各相導体を上下にかつ平行してスイッチギヤの幅方向に延在して配置された三相の母線と、前記各母線と前記各第１の接続導体間をそれぞれ１対１に接続する第２の接続導体と、前記母線室の上端面及び下端面に直接載置したＣＴと、前記上段遮断器のケーブル側ブッシング(7)から前記ＣＴを経由して真っ直ぐ後方に向って前記母線室の後端近傍まで導出された上側ケーブル接続導体と、前記下段遮断器のケーブル側ブッシング(7)から前記ＣＴを経由して真っ直ぐ後方に向って前記母線室の後端近傍まで導出された下側ケーブル接続導体と、下方より立上がり前記上側ケーブル接続導体及び下側ケーブル接続導体にそれぞれ接続されるケーブルとを備え、前記母線室の後方上部の面取り状の斜面の上方で前記上側ケーブル接続導体と前記ケーブルとの接続部を配置したので、スイッチギヤをコンパクトに構成することができる。
【００２２】
また、上側ケーブル接続導体とケ−ブルとの接続部を上側ケーブル接続導体の端部を斜め下方に折り曲げて形成したので、ケ−ブル接続部をケ−ブル室の後面から離すことができ、ケ−ブル室の奥行き寸法を小さくすることが出来る。
【図面の簡単な説明】
【図１】この発明の実施の形態１を示すスイッチギヤの側断面図である。
【図２】図１のＡ−Ａ方向に見た部分断面後面図である。
【図３】図１のＢ−Ｂ方向に見た部分断面平面図である。
【図４】従来のスイッチギヤを示す側断面図である。
【図５】図４の遮断器室・ケ−ブル室間の断面平面図である。
【符号の説明】
１  箱体
２  遮断器室
３  母線室
３ａ  面取り部
４  ケーブル室
５  遮断器
６  母線側ブッシング
７  ケーブル側ブッシング
８  母線
１５  接続導体
１６  接続導体
１７  ＣＴ
１８  上側接続導体
１８ａ  接続部
１９  下側接続導体
１９ａ  接続部
２０  ケ−ブル
２０ａ  端子
２１  ケーブル
２１ａ  端子
２２  点検カバー
２３  点検カバー
２４  点検カバー
【図１】
0004399911.tif 000002
【図２】
0004399911.tif 000003
【図３】
0004399911.tif 000004
【図４】
0004399911.tif 000005
【図５】
0004399911.tif 000006